(57)【要約】【課題】本発明において解決しようとする課題は、原材料に、カラマツ等の間伐材を用いて、組み立て製作が容易で、かつ、頑丈で、しかも、運搬・移動がホークリフトを利用して楽に行える木製プランターを構成することにある。【解決手段】組み立てる栽培容器Ａの四隅部に配位する４本の角柱１の栽培容器Ａの中心に向かうコーナー部１ｃを挟む２つの壁面１ａ・１ｂに、側壁板３の板厚ｔに対応する溝巾ｗで縦方向に連続する嵌合溝７をそれぞれ形設し、前記コーナー部１ｃの下端部で、ホークリフトのホークの上下厚さに対応する高さ寸法ｈだけ角柱１の底面から上昇する部位に、所望に設定する底板２の板厚に対応する溝巾で、前記壁面１ａに設けた縦方向の嵌合溝７から壁面１ｂに設けた縦方向の嵌合溝７に渡る範囲に刳り込む横方向の嵌め込み溝８を形設する。【選択図】図６
2011109967.tif 000002
【特許請求の範囲】
【請求項１】
組み立てる栽培容器（Ａ）の四隅部に配位する４本の角柱（１）と、それら角柱（１）の下端部に四隅の各隅部を組み付け支架せしめる底板（２）と、相い隣なる角柱（１）と角柱（１）との間に渡架されて四周を囲う側壁板（３）とからなり、各角柱（１）には、組み立てる栽培容器（Ａ）の中心に向かうコーナー部（１ｃ）を挟む２つの壁面（１ａ）・（１ｂ）に、所望に設定する側壁板（３）の板厚（ｔ）に対応する溝巾（ｗ）で縦方向に連続する嵌合溝（７）をそれぞれ形設し、栽培容器（Ａ）の中心に向かうコーナー部（１ｃ）の下端部で、ホークリフトのホークの上下厚さに対応する高さ寸法（ｈ）だけ角柱（１）の底面から上昇する部位に、所望に設定する底板（２）の板厚に対応する溝巾で、前記壁面１ａに設けた縦方向の嵌合溝７から壁面（１ｂ）に設けた縦方向の嵌合溝（７）に渡る範囲に刳り込む横方向の嵌め込み溝（８）を形設し、床板（２）は、前記所望に設定する板厚で、前記側枠（ａ）に組み立てられる２本の角柱（１）の各内面側の壁面（１ａ）にそれぞれ設けた縦の嵌合溝（７）の外側の溝壁（７ａ）間に渡る長さとした適宜巾の単位側板（２０）を、複数枚巾方向に並列させ、下面側に、上下の板厚を前記高さ寸法（ｈ）に対応させた角棒状の補強材（２１）を、単位側板（２０）の長手方向と直交する姿勢に配位し一体的に組み付けて四角な座板状に組み立て、それの四隅部を、前記角柱（１）に形設した横方向の嵌め込み溝（８）に嵌めてスクリューボルト（Ｓ）により角柱（１）に連結し、側壁板（３）は、それの高さを複数に区分けした寸法を上下の巾として、相い隣なる角柱（１）と角柱（１）とに設けられて対向する縦の嵌合溝（７）の溝底から溝底に至る距離を長さとする複数枚の単位側壁板（３０）に分け、それら単位側壁板（３０）を、前記角柱（１）と角柱（１）との、対向する嵌合溝（７）に順次嵌挿して上下に重ね、最上位の単位側壁板（３０）の両端部をスクリューボルト（Ｓ）により角柱（１）に固定し、栽培容器に組み立てることを特徴とする木製栽培容器。
【請求項２】
組み立てる栽培容器（Ａ）の四隅部に配位する４本の角柱（１）と、それら角柱（１）の下端部に四隅の各隅部を組み付け支架せしめる底板（２）と、相い隣なる角柱（１）と角柱（１）との間に渡架されて四周を囲う側壁板（３）と、４本の角柱（１）のうちの、前後に並ぶ左右の各２本の角柱（１）間に渡架する連結材（４）とからなり、各角柱（１）には、組み立てる栽培容器（Ａ）の中心に向かうコーナー部（１ｃ）を挟む２つの壁面（１ａ）・（１ｂ）に、所望に設定する側壁板（３）の板厚（ｔ）に対応する溝巾（ｗ）で縦方向に連続する嵌合溝（７）をそれぞれ形設し、栽培容器（Ａ）の中心に向かうコーナー部（１ｃ）の下端部で、ホークリフトのホークの上下厚さに対応する高さ寸法（ｈ）だけ角柱（１）の底面から上昇する部位に、所望に設定する底板（２）の板厚に対応する溝巾で、前記壁面１ａに設けた縦方向の嵌合溝７から壁面（１ｂ）に設けた縦方向の嵌合溝（７）に渡る範囲に刳り込む横方向の嵌め込み溝（８）を形設し、かつ、四本の角柱（１）のうちの、前後に並ぶ左側の２本の角柱（１）および右側の２本の角柱（１）の各内側における下端部間に、連結材（４）を、上下の板厚が前記高さ寸法（ｈ）とした角棒状に形成して渡架し、スクリューボルト（Ｓ）により角柱（１）に連結して側枠（ａ）に組み立て、床板（２）は、前記所望に設定する板厚で、前記側枠（ａ）に組み立てられる２本の角柱（１）の各内面側の壁面（１ａ）にそれぞれ設けた縦の嵌合溝（７）の外側の溝壁（７ａ）間に渡る長さとした適宜巾の単位側板（２０）を、複数枚巾方向に並列させ、下面側に、上下の板厚を前記高さ寸法（ｈ）に対応させた角棒状の補強材（２１）を、単位側板（２０）の長手方向と直交する姿勢に配位し一体的に組み付けて四角な座板状に組み立て、それの四隅部を、前記角柱（１）に形設した横方向の嵌め込み溝（８）に嵌めてスクリューボルト（Ｓ）により角柱（１）に連結し、左右の側枠（ａ）と合体する主体枠（Ａ’）に組み立て、側壁板（３）は、それの高さを複数に区分けした寸法を上下の巾として、相い隣なる角柱（１）と角柱（１）とに設けられて対向する縦の嵌合溝（７）の溝底から溝底に至る距離を長さとする複数枚の単位側壁板（３０）に分け、それら単位側壁板（３０）を、前記角柱（１）と角柱（１）との、対向する嵌合溝（７）に順次嵌挿して上下に重ね、最上位の単位側壁板（３０）の両端部をスクリューボルト（Ｓ）により角柱（１）に固定し、栽培容器に組み立てることを特徴とする木製栽培容器。
【請求項３】
組み立てた栽培容器（Ａ）の四隅の角柱（１）の各頂部に銅板よりなるキャップ（５）を被せ、四周の側壁板（３）の、最上位の単位側壁板（３０）の上縁部に、銅板よりなる縁枠（６）を、前記角柱（１）に被せたキャップ（５）とキャップ（５）との間に渡る長さに形成して被せたことを特徴とする請求項１または請求項２記載の木製栽培容器。
【発明の詳細な説明】
【技術分野】
【０００１】
本発明は、花卉・野菜等の植物を栽培育成する栽培容器（プランター）のうちで、その容器を木材により成形する木製栽培容器に関する。
【背景技術】
【０００２】
植物を栽培するプランターは、通常、合成樹脂材により、円筒形の鉢形または長方形の箱形に成形されて用いられている。
この樹脂製のプランターは、室内またはベランダ等での花卉の栽培に多く用いられているもので、多量の床土・腐葉土を要する茄子・トマト等の野菜類の栽培に用いるときは、容量に不足をきたし、また、栽培した作物の収穫を終えて、次期の、作物の栽培の準備のために、プランター内の床土を入れ換えるときの、床土の排出と詰め込みの作業が困難な問題がある。
【０００３】
前後巾が約３０センチで左右巾が約６０センチ程度の横長の箱形とした容量の大きいプランターでは、床土の排出を、容器を転倒させることで行うことから、脆い樹脂製の器壁に破損を生ぜしめる問題がある。
【０００４】
また、この長方形の箱形のプランターは、容量が大きいことで、作業場での床土を充めて作物の植え付け作業を終えたときに、床土を含めた全体の重量がかなりになってくるので、露地に移動させる作業が困難になる問題がある。
【０００５】
木材で組み立てたプランターもある。従前の木製プランターは、趣味性におもきをおいたもので、製作するコストがかかるものであり、また、少し容量を大きくすると、詰め込んだ床土の土圧に耐えられずに崩壊するようになり、頑丈さに欠けるものである。
【０００６】
しかし、この木製プランターは、製作の原材料とする木材に、有効利用が望まれている間伐材としてカラマツの間伐材を用いることで、材料コストを低くできる。また、製作組立が容易で、かつ、頑丈に組み立てられ、しかも、ホークリフトを用いての運搬が行える木製プランターを構成することは、組み立て構造を工夫することにより、実現が充分に期待できる。
【発明の概要】
【発明が解決しようとする課題】
【０００７】
本発明は、原材料に、カラマツ等の間伐材を用いて、組み立て製作が容易で、かつ、頑丈で、しかも、運搬・移動がホークリフトを利用して楽に行える木製プランターを構成することを課題とする。
【課題を解決するための手段】
【０００８】
本発明は、上述の課題を解決するための手段として、
組み立てる栽培容器Ａの四隅部に配位する４本の角柱１と、それら角柱１の下端部に四隅の各隅部を組み付け支架せしめる底板２と、相い隣なる角柱１と角柱１との間に渡架されて四周を囲う側壁板３とからなり、各角柱１には、組み立てる栽培容器Ａの中心に向かうコーナー部１ｃを挟む２つの壁面１ａ・１ｂに、所望に設定する側壁板３の板厚ｔに対応する溝巾ｗで縦方向に連続する嵌合溝７をそれぞれ形設し、栽培容器Ａの中心に向かうコーナー部１ｃの下端部で、ホークリフトのホークの上下厚さに対応する高さ寸法ｈだけ角柱１の底面から上昇する部位に、所望に設定する底板２の板厚に対応する溝巾で、前記壁面１ａに設けた縦方向の嵌合溝７から壁面１ｂに設けた縦方向の嵌合溝７に渡る範囲に刳り込む横方向の嵌め込み溝８を形設し、
床板２は、前記所望に設定する板厚で、前記側枠ａに組み立てられる２本の角柱１の各内面側の壁面１ａにそれぞれ設けた縦の嵌合溝７の外側の溝壁７ａ間に渡る長さとした適宜巾の単位側板２０を、複数枚巾方向に並列させ、下面側に、上下の板厚を前記高さ寸法ｈに対応させた角棒状の補強材２１を、単位側板２０の長手方向と直交する姿勢に配位し一体的に組み付けて四角な座板状に組み立て、それの四隅部を、前記角柱１に形設した横方向の嵌め込み溝８に嵌めてスクリューボルトＳにより角柱１に連結し、
側壁板３は、それの高さを複数に区分けした寸法を上下の巾として、相い隣なる角柱１と角柱１とに設けられて対向する縦の嵌合溝７の溝底から溝底に至る距離を長さとする複数枚の単位側壁板３０に分け、それら単位側壁板３０を、前記角柱１と角柱１との、対向する嵌合溝７に順次嵌挿して上下に重ね、最上位の単位側壁板３０の両端部をスクリューボルトＳにより角柱１に固定し、栽培容器に組み立てることを特徴とする木製栽培容器、を提起するものである。
また、これに併せて、
組み立てる栽培容器Ａの四隅部に配位する４本の角柱１と、それら角柱１の下端部に四隅の各隅部を組み付け支架せしめる底板２と、相い隣なる角柱１と角柱１との間に渡架されて四周を囲う側壁板３と、４本の角柱１のうちの、前後に並ぶ左右の各２本の角柱１間に渡架する連結材４とからなり、各角柱１には、組み立てる栽培容器Ａの中心に向かうコーナー部１ｃを挟む２つの壁面１ａ・１ｂに、所望に設定する側壁板３の板厚ｔに対応する溝巾ｗで縦方向に連続する嵌合溝７をそれぞれ形設し、栽培容器Ａの中心に向かうコーナー部１ｃの下端部で、ホークリフトのホークの上下厚さに対応する高さ寸法ｈだけ角柱１の底面から上昇する部位に、所望に設定する底板２の板厚に対応する溝巾で、前記壁面１ａに設けた縦方向の嵌合溝７から壁面１ｂに設けた縦方向の嵌合溝７に渡る範囲に刳り込む横方向の嵌め込み溝８を形設し、
かつ、四本の角柱１のうちの、前後に並ぶ左側の２本の角柱１および右側の２本の角柱１の各内側における下端部間に、連結材４を、上下の板厚が前記高さ寸法ｈとした角棒状に形成して渡架し、スクリューボルトＳにより角柱１に連結して側枠ａに組み立て、
床板２は、前記所望に設定する板厚で、前記側枠ａに組み立てられる２本の角柱１の各内面側の壁面１ａにそれぞれ設けた縦の嵌合溝７の外側の溝壁７ａ間に渡る長さとした適宜巾の単位側板２０を、複数枚巾方向に並列させ、下面側に、上下の板厚を前記高さ寸法ｈに対応させた角棒状の補強材２１を、単位側板２０の長手方向と直交する姿勢に配位し一体的に組み付けて四角な座板状に組み立て、それの四隅部を、前記角柱１に形設した横方向の嵌め込み溝８に嵌めてスクリューボルトＳにより角柱１に連結し、左右の側枠ａと合体する主体枠Ａ’に組み立て、
側壁板３は、それの高さを複数に区分けした寸法を上下の巾として、相い隣なる角柱１と角柱１とに設けられて対向する縦の嵌合溝７の溝底から溝底に至る距離を長さとする複数枚の単位側壁板３０に分け、それら単位側壁板３０を、前記角柱１と角柱１との、対向する嵌合溝７に順次嵌挿して上下に重ね、最上位の単位側壁板３０の両端部をスクリューボルトＳにより角柱１に固定し、栽培容器に組み立てることを特徴とする木製栽培容器、を提起するものである。
また、これに併せて、
組み立てた栽培容器Ａの四隅の角柱１の各頂部に銅板よりなるキャップ５を被せ、四周の側壁板３の、最上位の単位側壁板３０の上縁部に、銅板よりなる縁枠６を、前記角柱１に被せたキャップ５とキャップ５との間に渡る長さに形成して被せたことを特徴とする木製栽培容器、を提起するものである。
【発明の効果】
【０００９】
本発明による木製栽培容器は、処理が厄介で有効利用が望まれている間伐材を用いて組み立てるのであるから低コストで得られる。四隅に配する四本の角柱の栽培容器の中心部に向かうコーナー部の下端部に設けた横方向の嵌め込み溝に、四角な座板状に組み立てた底板の四隅部を嵌め込んで主体枠に組み立て、これに、四隅の角柱の壁面に形設しておいた縦の嵌合溝に、側壁板を挿し込んで栽培容器に組み立てるのだから、組み立て製作が容易であり、かつ、組み立てた栽培容器を頑丈なものとする。そして底板の下面側に形成しておく空間に、担架するための支持アーム、またはホークリフトのホークを挿し込んで、担架し得るので、移動が容易に行える。
【図面の簡単な説明】
【００１０】
【図１】本発明を実施せる木製栽培容器の正面図である。
【図２】同上容器に用いる角柱の斜視図である。
【図３】同上角柱の平面図である。
【図４】同上角柱の下端側の縦断側面図である。
【図５】同上角柱を、組み立てる栽培容器の四隅となる部位に配置した状態における平面図である。
【図６】同上角柱の、同上状態時における斜視図である。
【図７】同上角柱と連結材とで組み立てられた側枠の斜視図である。
【図８】本発明を実施せる木製栽培容器に用いる底板の平面図である。
【図９】同上底板の斜視図である。
【図１０】同上底板の裏返しにした状態の斜視図である。
【発明を実施するための形態】
【００１１】
次に実施の態様を図面につき実施例について詳述する。
【実施例１】
【００１２】
図１は、本発明を実施せる木製栽培容器の正面図で、同図において、Ａは角形の平箱状に形成した栽培容器（プランター）、１は同上の容器Ａの隅部に立設した角柱、２は同上容器Ａの底板、３は、同上容器Ａの側壁板、４は前記四隅の角柱１のうちの、左右の両側において前後に一対に並列する２本の角柱１をそれぞれ連結する連結材、２１・２１は、底板２の下面に組み付けた補強材、５は四隅の角柱１の頂部に被せた銅板よりなるなめくじ除けのキャップ、６は四周の側壁板３の上縁部分に被せた銅板よりなるなめくじ除けの縁枠を示す。
【００１３】
角柱１は、木材により組み立てる木製の箱形栽培容器Ａのコーナー部分に立設して、栽培容器Ａの骨格を構成するものであり、処理が厄介視されている間伐材の有効利用を図るため、カラマツの間伐材を用いて形成してある。
【００１４】
この例の栽培容器Ａが、平面視で略正方形をなす四角な平箱状の形態のものであることから、それの四隅部に立設するものとして、１個の栽培容器Ａ当たり４本用意される。
【００１５】
各角柱１は、四周の各壁面の巾が３寸乃至４寸（１００〜１２０ミリ）程度の太さの角材に形成し、通常の箱形のプランターの高さに対応する長さに切断しておく。この例においては、１２０ミリ角で３６０ミリの長さの角材に形成してある。
【００１６】
各角柱１には、図２・図３・図４に示しているように、四つの壁面のうちの、相隣り合う２つの壁面１ａ・１ｂに、それら壁面１ａ・１ｂの突き合わせ部で形成される１つのコーナー部１ｃを挟むように位置させて、縦方向に連続する嵌合溝７を形設する。
【００１７】
この嵌合溝７は、角柱１と角柱１との間に渡架装着する側壁板３の端部を挿し込んで嵌合させることで、側壁板３を角柱１に対し連結・結合させるためのものであり、側壁板３の端部の板厚ｔに対応する溝巾ｗに形設するが、この例では、側壁板３を３０ミリの板厚の平板状に形成してあることから、３０ミリの溝巾としてあり、また、深さを２０ミリにしてあって、平面視において、３０ミリ角の角穴状をなすように形成している。そして、図３に示しているように、この３０ミリ角の角穴の中心が、角柱１の壁面１ａ・１ｂの巾方向の中心に略位置するように配位して形設してある。
【００１８】
また角柱１の下端側には、前述の壁面１ａと壁面１ｂとの突き合わせ部位で形成されるコーナー部１ｃの下端部位で、該角柱１の底面よりも少し上昇した位置に、水平な方向に沿う横方向の嵌め込み溝８が、前記コーナー部１ｃに角柱１の内部に向け刳り込むように形成される。
【００１９】
この嵌め込み溝８は、方形の座板状に組み立てられる底板２の四隅のうちの一隅を嵌め込んで、底板２を角柱１に連結・結合させるための溝であるが、嵌め込み連結した底板２の下面側に、ホークリフトのホークが挿し込める空間を形成するよう、そのホークの上下の厚さに対応する高さ寸法ｈだけ角柱１の底面から上昇した位置に形設してある。そして、ホークリフトのホークの挿し込みは、３０ミリの高さの空間があれば対応できることから、この実施例においては、図４に示しているように角柱１の底面より３０ミリ上昇した位置に形設してある。
【００２０】
そして、この横方向の嵌め込み溝８は、組み立てる栽培容器Ａの周壁となる側壁板３が、角柱１に組み付け支架せしめた底板２の端縁部の上面から立ち上るようにするために、前述の図３において一点鎖線で示している如く、角柱１の、栽培容器Ａの中心部に向かうコーナー部１ｃを形成する一方の壁面１ａ側からは、他方の壁面１ｂに形設した嵌合溝７の、コーナー部１ｃと反対側に位置する溝壁７ａに至るまで刳り込み、その他方の壁面１ｂ側からは、一方の壁面１ａに形設した嵌合溝７の、コーナー部１ｃと反対側に位置する外側の溝壁７ａに至るまで刳り込むようにして、この嵌め込み溝８に底板２の隅部を挿し込んで角柱１に底板２を組み付けたところで、角柱１の縦の嵌合溝７に側壁板３を嵌め込んでいくことでその側壁板３の下面が底板２の上面に突き当たってその上面から立設されるようにしてある。
【００２１】
このとき、嵌め込み溝８に嵌挿した底板２のコーナー部で、平面視において、壁面１ａに設けた縦の嵌合溝７および壁面１ａに設けた縦の嵌合溝７を、挿し込み方向において越している部分は、側壁板３の支承に関与しないので、図３において、二点鎖線で示しているように、斜めに切除しておいてよく、また、嵌め込み溝８も、これに倣い、コーナー部１ｃ側からの刳り込み方向における奥の溝壁面が、平面視において前記二点鎖線に沿う形状となるように形成してよい。
【００２２】
また、この横方向の嵌め込み溝８の上下の溝巾は、嵌め込む底板２の板厚に対応させて設定するのが、この実施例では、底板２が、カラマツの間伐材で、３０ミリの板厚の板に形成してあることから、３０ミリに設定してある。
【００２３】
このように構成した角柱１は、図５・図６に示している如く、組み立てる栽培容器Ａの四隅の各隅部となる位置に、嵌め込み溝８を形設したコーナー部１ｃが、それぞれ、組み立てる栽培容器Ａの中心に向かう状態として配位し、それら角柱１の、左側に位置して前後に並列する２本の角柱１及び右側に位置して前後に並列する２本の角柱１の、下端側における各内側位置に、組み立てる栽培容器Ａの前後の巾に対応する長さに形成した角棒状の連結材４を、図７に示しているように添え付け、その連結材４の端部で角柱１の壁面に当接する部位を、スクリューボルトＳにより締結して連結し、前後に並列する２本の角柱１を、それらの間に渡架した角棒状の連結材４により、一体に連結した側枠ａに組み立てる。
【００２４】
連結材４は、この例では、３０ミリ角の角棒に形成してあり、その長さは、前後に並列させた２本の角柱１の外側の壁面と壁面との間の寸法として設定されている８４０ミリに適わせた８４０ミリとしてあり、これにより、角柱１の内面側に組み付けたときに、図１・図２・図４・図７にあるように、上面が、角柱１に設けた横方向の嵌め込み溝８の底壁面８ａに揃い、その嵌め込み溝８に嵌め込まれる底板２の隅部を、前述の底壁面８ａと共同して支承するようにしている。
【００２５】
このようにして、前後に並列する２本の角柱１と連結材４とにより組み立てられる栽培容器Ａの左側及び右側の側枠ａに対し、底板２の四隅の隅部を、角柱１の横方向の嵌め込み溝８に嵌挿していくことで図８に示しているように組み付ける。
【００２６】
底板２は、この例においては、カラマツの間伐材から、巾１２０ミリ、長さ７２０ミリ、厚さ３０ミリの平板状に形成した単位底板２０を、巾方向に６枚並列させ、下面側に、３０ミリ角の角棒状に形成した補強材２１を、単位底板２０の長手方向と直交する方向に沿わせて、複数本組み付けることで、平面視において方形の座板状に構成してある。
【００２７】
この底板２の隅部を、角柱２に設けた横方向の嵌め込み溝８に対し嵌合させる作業は、組み立てた左側及び右側の側枠ａを、図９にあるように引き離しておいて、底板２の左辺側の前後の隅部を、嵌め込み溝８に嵌め、次いで、組み付けた底板２の右側の側辺の隅部に、引き離しておいた右側の側枠ａの、各角柱１の嵌め込み溝８を嵌め込んでいくようにするか、組み立てた底板２を設置しておいて、これに、左側及び右側の側枠ａを、組み付けていくようにするなど適宜に行ってよい。そして、組み付けた底板２は、角柱１の嵌め込み溝８に嵌入した隅部を、角柱１の底面側からねじ込むスクリューボルトＳにより角柱１に対し固着し連結する。
【００２８】
このように、角柱１と底板２とを連結・結合させたところで、角柱１と角柱１との間に側壁板３を配位して、それの一端部を、一方の角柱１に設けてある縦方向の嵌合溝７に嵌挿し、他端部を他方の角柱１に設けた嵌合溝７に嵌挿して、それら嵌合溝７・７に沿い落とし込むようにスライドさせて、下端面を、前述の底板２の辺縁部における上面に突き当てることにより、底板２の四周の辺縁部の上面から立ち上る状態に組み付ける。
【００２９】
この側壁板３は、この例においては、角柱１に形設した縦の嵌合溝７の溝底から相い隣なる角柱１に形設されて対向する嵌合溝７の溝底までの距離が６００ミリに設定してあることから、長さを６００ミリとし、巾１００ミリ、厚さ３０ミリとした３枚の平板状の単位側壁板３０に分け、これら単位側壁板３０を巾方向に沿い上下に積み重ねるように連続させることで、３００ミリの高さの側壁を構成しているようにしてある。
【００３０】
各単位側壁板３０は、縦の嵌合溝７に順次嵌挿して、上下に連続するよう重ねるが、最上位の単位側壁板３０は、それの嵌合溝７に嵌合する両端部を、スクリューボルトＳにより角柱に対し固着・連結させる。
【００３１】
そして、この側壁板３を、角柱１に設けた縦の嵌合溝７に対し嵌合・連結する作業を終えることで、木製栽培容器Ａが組み立てられる。
【符号の説明】
【００３２】
Ａ    栽培容器
Ａ’  主体枠
Ｓ    スクリューボルト
ａ    側枠
ｈ    高さ寸法
ｔ    板厚
ｗ    溝巾
１    角柱
１ａ・１ｂ    壁面
１ｃ  コーナー部
２    底板
２０    単位底板
２１・２１    補強材
３    側壁板
３０    単位側壁板
４    連結材
５    なめくじ除けのキャップ
６    なめくじ除けの縁枠
７    嵌合溝
７ａ  溝壁
８    嵌め込み溝
８ａ  底壁面
【図１】
2011109967.tif 000003
【図２】
2011109967.tif 000004
【図３】
2011109967.tif 000005
【図４】
2011109967.tif 000006
【図５】
2011109967.tif 000007
【図６】
2011109967.tif 000008
【図７】
2011109967.tif 000009
【図８】
2011109967.tif 000010
【図９】
2011109967.tif 000011
【図１０】
2011109967.tif 000012